(57)【要約】【課題】カメラと固定脚との着脱を容易に行うことができ、着脱時におけるカメラへの衝撃を低減可能なカメラ着脱アタッチメントを提供すること。【解決手段】カメラが取り付けられる取付アームに設けられ、略円錐状の突起部を有する第１アタッチメントと、前記取付アームを支持する固定脚に設けられ、前記突起部が挿入される略円錐状の挿入孔を有する第２アタッチメントと、を有するカメラ着脱アタッチメント。【選択図】図１
2014219633.tif 000002
【特許請求の範囲】
【請求項１】
カメラが取り付けられる取付アームに設けられ、略円錐状の突起部を有する第１アタッチメントと、
前記取付アームを支持する固定脚に設けられ、前記突起部が挿入される略円錐状の挿入孔を有する第２アタッチメントと、
を有することを特徴とするカメラ着脱アタッチメント。
【請求項２】
前記突起部は、円錐台状部と、前記円錐台状部に連続的につながる円錐状部とを有し、前記円錐状部の頂角は前記円錐台状部の頂角よりも大きい
ことを特徴とする請求項１に記載のカメラ着脱アタッチメント。
【請求項３】
前記第２アタッチメントは、側面から挿入されて前記挿入孔に突出して前記突起部を固定する固定ねじを有し、
前記第１アタッチメントの前記突起部は、前記固定ねじが挿入される固定ねじ孔を有する
ことを特徴とする請求項１又は２に記載のカメラ着脱アタッチメント。
【請求項４】
前記第１アタッチメントは、前記突起部の底面側に、前記突起部の底面よりも大きい略円盤状のフランジ部を有する
ことを特徴とする請求項１から３の何れか一項に記載のカメラ着脱アタッチメント。
【請求項５】
前記第２アタッチメントは、前記挿入孔の周縁部に設けられ、付勢されて少なくとも一部が外部に突出可能に設けられている位置決めピンを有し、
前記第１アタッチメントの前記フランジ部は、前記位置決めピンが挿入される位置決め孔を有する
ことを特徴とする請求項４に記載のカメラ着脱アタッチメント。
【請求項６】
請求項１から５の何れか一項に記載のカメラ着脱アタッチメントを有する
ことを特徴とするカメラ支持ユニット。
【発明の詳細な説明】
【技術分野】
【０００１】
本発明は、カメラ着脱アタッチメント及びカメラ支持ユニットに関する。
【背景技術】
【０００２】
例えばテレビ番組における中継放送で、周辺の景色から出演者の紹介、移動までの撮影を連続して行う場合がある。この様な場合において、景色を撮影する際には、ブレを防いで美しい映像を撮るために、三脚に固定されたカメラを用いて撮影を行うことが望ましい。また、出演者と共に移動しながら撮影する際には、移動出来る様に撮影者がカメラを肩に担いで撮影することが好ましい。
【０００３】
したがって、この様な場合には、三脚に固定されたカメラ及び担ぎカメラの２台のカメラを用いて撮影することが考えられるが、カメラが複数台必要になると共に、カメラが途中で切り替わるために映像が途切れる様な印象を視聴者に与える可能性がある。
【０００４】
そこで、１台のカメラを用いて、三脚に固定した状態で景色などを撮影した後、三脚からカメラを外して肩に担いで撮影を続けることが考えられるが、三脚から外す時の衝撃でカメラが振動して映像が乱れる可能性がある。
【０００５】
そこで、カメラ本体、ショルダーパッド及び三脚アダプタに、各々が互いに着脱可能な蟻溝とウェッジとを設け、各々の着脱操作の簡素化を図る技術が開示されている（例えば、特許文献１参照）。
【先行技術文献】
【特許文献】
【０００６】
【特許文献１】特開平５−１４５８１６号公報
【発明の概要】
【発明が解決しようとする課題】
【０００７】
しかしながら、特許文献１に開示されている技術においても、三脚等への着脱時には衝撃によりカメラが振動する可能性がある。また、撮影者が撮影を行いながらカメラと三脚との着脱を行う場合には、撮影者はカメラと三脚との接続部分を正視できないため、スムーズに着脱操作を行うことができない。したがって、撮影者がカメラを三脚に着脱させながら、映像にブレなどを生じさせずに連続して撮影を行うのは困難な可能性がある。
【０００８】
本発明は上記に鑑みてなされたものであって、カメラと固定脚との着脱を容易に行うことができ、着脱時におけるカメラへの衝撃を低減可能なカメラ着脱アタッチメントを提供することを目的とする。
【課題を解決するための手段】
【０００９】
本発明の一態様のカメラ着脱アタッチメントによれば、カメラが取り付けられる取付アームに設けられ、略円錐状の突起部を有する第１アタッチメントと、前記取付アームを支持する固定脚に設けられ、前記突起部が挿入される略円錐状の挿入孔を有する第２アタッチメントと、を有する。
【発明の効果】
【００１０】
本発明の実施形態によれば、カメラと固定脚との着脱を容易に行うことができ、着脱時におけるカメラへの衝撃を低減可能なカメラ着脱アタッチメントを提供できる。
【図面の簡単な説明】
【００１１】
【図１】実施形態におけるカメラ支持ユニットの概略構成を例示する図である。
【図２】実施形態における取付アームを例示する図である。
【図３】実施形態における第１アタッチメントを例示する図である。
【図４】実施形態における第２アタッチメントを例示する図である。
【図５】実施形態における第２アタッチメントを例示する断面概略図である。
【図６】実施形態におけるアタッチメントが接続する様子を例示する図である。
【発明を実施するための形態】
【００１２】
以下、図面を参照して発明を実施するための形態について説明する。各図面において、同一構成部分には同一符号を付し、重複した説明を省略する場合がある。
【００１３】
＜カメラ支持ユニット＞
図１は、実施形態におけるカメラ支持ユニット１００の概略構成を例示する図である。
【００１４】
図１に示す様に、カメラ支持ユニット１００は、カメラ１０が取り付けられる取付アーム１１０、固定脚としての三脚１２０、取付アーム１１０と三脚１２０との着脱を可能にする着脱アタッチメント２００を有する。
【００１５】
図１（ａ）は、カメラ１０及び取付アーム１１０が三脚１２０に着脱アタッチメント２００を介して支持されている状態を示している。また、図１（ｂ）は、カメラ１０及び取付アーム１１０が、三脚１２０から外されている状態を示している。なお、以下の説明において、取付アーム１１０側を上、三脚１２０側を下として説明する場合がある。
【００１６】
取付アーム１１０は、カメラ１０が取り付けられ、三脚１２０に着脱可能に設けられている。また、取付アーム１１０には、図１（ｂ）に示す様に、三脚１２０側の端部に略円錐状の突起部を有する第１アタッチメント２１０が設けられている。
【００１７】
三脚１２０は、固定脚としての一例であり、カメラ１０及び取付アーム１１０を着脱可能に支持する。図１（ｂ）に示す様に、三脚１２０は、取付アーム１１０側の端部に第１アタッチメント２１０の突起部が挿入される挿入孔を有する第２アタッチメント２５０が設けられている。なお、固定脚としては、三脚１２０に限るものではなく、カメラ１０及び取付アーム１１０を固定可能であればよい。
【００１８】
着脱アタッチメント２００は、取付アーム１１０に設けられる第１アタッチメント２１０、三脚１２０に設けられる第２アタッチメント２５０を有し、取付アーム１１０と三脚１２０との着脱を可能にしている。
【００１９】
＜取付アーム＞
取付アーム１１０の概略構成について図２に基づいて説明する。図２（ａ）は取付アーム１１０の上面図、図２（ｂ）は取付アーム１１０の側面図、図２（ｃ）は取付アーム１１０の正面図である。
【００２０】
取付アーム１１０は、図２（ｂ）及び（ｃ）に示す様に、カメラ１０が取り付けられる取付部１１１、取付部１１１から三脚１２０に伸びるアーム部１１２、アーム部１１２の下端から突出し、下面に第１アタッチメント２１０が設けられる着脱部１１３を有する。
【００２１】
取付部１１１は、図２（ａ）に示す様に、下面にアーム部１１２が設けられる本体部１１４、本体部１１４から突出してカメラ１０が載置される載置部１１５，１１６を有する板状の部材である。カメラ１０は、載置部１１５，１１６に例えばねじ等により固定され、載置部１１５，１１６の間にカメラ１０のショルダーパッドが露出する様に固定される。撮影者は、載置部１１５，１１６の間に肩を入れ、カメラ１０を取付アーム１１０と共に担ぎ上げることができる。なお、取付部１１１は、カメラ１０が固定可能であり、カメラ１０及び取付アーム１１０を持ち運ぶことが出来ればよく、本実施形態に例示する形状に限るものではない。
【００２２】
アーム部１１２は、取付部１１１の端部から三脚１２０の方向に延伸する様に設けられている。なお、本実施形態では、アーム部１１２は直線状に設けられているが、撮影者がカメラ１０を担ぎ易い様に、例えば外側（図２（ｂ）における左側）に膨らむ様に屈曲させてもよく、本実施形態に例示する形状に限るものではない。
【００２３】
着脱部１１３は、アーム部１１２の下端部から突出する様に設けられ、下面に第１アタッチメント２１０が設けられる。第１アタッチメント２１０は、着脱部１１３にねじ１１７，１１８等により固定される。
【００２４】
＜着脱アタッチメント＞
次に、着脱アタッチメント２００の概略構成について図面に基づいて説明する。着脱アタッチメント２００は、取付アーム１１０に設けられる第１アタッチメント２１０、三脚１２０に設けられる第２アタッチメント２５０を有する。
【００２５】
（第１アタッチメント）
図３は、実施形態に係る第１アタッチメント２１０の概略構成を例示する図である。図３（ａ）は第１アタッチメント２１０の上面図、図３（ｂ）は第１アタッチメント２１０の正面図である。
【００２６】
第１アタッチメント２１０は、図３（ｂ）に示す様に、略円錐状の突起部２２０、突起部２２０の底面側（図３（ｂ）における上側）にフランジ部２１１を有する。また、第１アタッチメント２１０は、図３（ａ）及び（ｂ）に示す様に、取付アーム１１０側に複数のねじ孔２４０を有し、取付アーム１１０のねじ１１７，１１８により取付アーム１１０に固定される。
【００２７】
突起部２２０は、全体として略円錐状の形状を有し、第２アタッチメント２５０に挿入される。突起部２２０は、図３（ｂ）に示す様に、取付アーム１１０側に円錐台状部２２１、円錐台状部２２１に連続的につながる円錐状部２２２を有する。円錐状部２２２の頂角は、円錐台状部２２１の頂角よりも大きく、円錐台状部２２１と円錐状部２２２とで斜辺の傾斜角（突起部２２０の底面に垂直な方向とのなす角）が異なっている。すなわち、円錐台状部２２１の傾斜角は、円錐状部２２２の傾斜角よりも小さくなっている。
【００２８】
ここで、円錐状部２２２の頂角とは、頂点を通る断面において一対の斜辺のなす角度をいう。また、円錐台状部２２１の頂角とは、同様に頂点を通る断面において一対の斜辺を延長して交差する点で斜辺がなす角度をいう。
【００２９】
突起部２２０の形状は、底面が大きく且つ頂角が小さい円錐状にすることで、第１アタッチメント２１０の第２アタッチメント２５０への装着時の衝撃を低減し、よりスムーズな装着が可能になる。しかしながら、突起部２２０を頂角の小さい円錐形状にすると、突起部２２０が第２アタッチメント２５０への挿入方向に長くなり、第１アタッチメント２１０と第２アタッチメント２５０との着脱操作が困難になる。
【００３０】
そこで、突起部２２０の頂点側（図３（ｂ）において下側）を底面側の円錐台状部２２１よりも頂角が大きい円錐状部２２２として構成することで、挿入方向の長さが低減され、着脱操作の容易性が確保されている。また、第２アタッチメント２５０への装着時における衝撃が低減される様に、突起部２２０は頂点に丸みが付けられている。
【００３１】
また、突起部２２０には、図３（ａ）及び（ｂ）に示す様に、第１アタッチメント２１０が第２アタッチメント２５０に装着された状態で、後述する固定ねじが挿入される固定ねじ孔２３０が設けられている。
【００３２】
フランジ部２１１は、第１アタッチメント２１０が第２アタッチメント２５０に装着された状態で、突起部２２０が挿入される第２アタッチメント２５０の挿入孔の周縁部に面接触する。第１アタッチメント２１０は、フランジ部２１１により、装着時における第２アタッチメント２５０に対する取付角度が一定に保たれる。
【００３３】
また、フランジ部２１１は、図３（ａ）に示す様に、第２アタッチメント２５０に対して位置決めを行うための位置決め孔２１２，２１３を有する。フランジ部２１１の位置決め孔２１２，２１３は、第１アタッチメント２１０が第２アタッチメント２５０に装着された状態で、後述する第２アタッチメントに設けられている位置決めピンに嵌合する。フランジ部２１１の位置決め孔２１２，２１３と位置決めピンとが嵌合することで、第１アタッチメント２１０は第２アタッチメント２５０に対して位置決めされ、所定の方向に定められる。
【００３４】
第１アタッチメント２１０は、上記構成を有して取付アーム１１０に固定され、突起部２２０が第２アタッチメント２５０に挿入される。この時、第１アタッチメント２１０は、フランジ部２１１により第２アタッチメント２５０に対する取付角度が一定に保たれる。また、第１アタッチメント２１０は、フランジ部２１１に設けられている位置決め孔２１２，２１３により、第２アタッチメントに対して位置決めされた状態で、突起部２２０の固定ねじ孔２３０に固定ねじが挿入され、第２アタッチメントに固定支持される。
【００３５】
（第２アタッチメント）
図４は、実施形態に係る第２アタッチメント２５０の概略構成を例示する図である。図４（ａ）は第２アタッチメント２５０の上面図、図４（ｂ）は第２アタッチメント２５０の正面図である。
【００３６】
第２アタッチメントは、図４（ｂ）に示す様に、本体２９１及び底板２９２で構成され、中央に第１アタッチメント２１０の突起部２２０が挿入される略円錐状の挿入孔２７０、本体２９１の側面に第１アタッチメント２１０を固定する固定ねじ２９０を有する。
【００３７】
挿入孔２７０は、本体２９１に第１アタッチメント２１０の突起部２２０の円錐台状部２２１の側面に沿って形成されている部分と、底板２９２に突起部２２０の頂点部分が挿入される部分とで構成されている。挿入孔２７０は、第１アタッチメント２１０の突起部２２０の形状に完全に一致する様に形成されてもよい。
【００３８】
図４（ａ）に示す様に、挿入孔２７０の周縁部２５１には、本体２９１と底板２９２とを固定するためのねじが挿入されるねじ孔２５２，２５３，２５４，２５５が設けられている。ねじ孔２５２，２５３，２５４，２５５に挿入されるねじにより、本体２９１と底板２９２とが固定される。
【００３９】
また、挿入孔２７０の周縁部２５１には、図４（ａ）に示す様に、装着される第１アタッチメント２１０の位置決めを行う位置決めピン２６１，２６２，２６３，２６４が設けられている。位置決めピン２６１，２６２，２６３，２６４は、第１アタッチメント２１０が装着された時に何れかがフランジ部２１１の位置決め孔２１２，２１３に嵌合し、第１アタッチメント２１０が所定の方向を向く様に位置決めする。
【００４０】
図５は、図４（ａ）に示す第２アタッチメント２５０のＡ−Ａ'断面概略図である。
【００４１】
図５に示す様に、位置決めピン２６２，２６４は、それぞればね２６５，２６６により底板２９２側から本体２９１の上面に向けて付勢されている。位置決めピン２６２，２６４は、上部に何も存在しない状態では、ばね２６５，２６６に付勢されて上端部が本体２９１から取付アーム１１０側の外部に突出する。また、位置決めピン２６２，２６４は、例えば第１アタッチメント２１０のフランジ部２１１により押圧されると、ばね２６５，２６６が圧縮して本体２９１の内部に収容される。
【００４２】
この様な構成により、位置決めピン２６２，２６４は、第１アタッチメント２１０が第２アタッチメント２５０に装着され、フランジ部２１１の位置決め孔２１２，２１３の位置と合った場合に、本体２９１から突出して位置決め孔２１２，２１３に嵌合する。また、位置決めピン２６２，２６４は、第１アタッチメント２１０が第２アタッチメント２５０に装着された状態であっても、フランジ部２１１の位置決め孔２１２，２１３の位置と合っていない場合には、フランジ部２１１に押圧されて本体２９１の内部に収容される。
【００４３】
この様に、第１アタッチメント２１０が第２アタッチメント２５０に装着され、位置決めピン２６２，２６４と位置決め孔２１２，２１３とが嵌合した時に、第１アタッチメント２１０が位置決めされ、カメラ１０が所定の方向に向けられる。
【００４４】
また、位置決めピン２６２，２６４と位置決め孔２１２，２１３とが嵌合することで、例えばカメラ１０及びアーム１１０が一定程度傾けられた場合であっても、第１アタッチメント２１０は第２アタッチメント２５０から外れない様に固定される。
【００４５】
なお、第１アタッチメント２１０のフランジ部２１１の位置決め孔及び第２アタッチメント２５０の位置決めピンの数や位置等は、本実施形態に例示する構成に限るものではなく、カメラ１０の使用形態、取付アーム１１０の形状等に応じて適宜設けることができる。
【００４６】
また、図４（ａ）及び（ｂ）に示す様に、第２アタッチメント２５０は本体２９１の側面から挿入される固定ねじ２９０を有している。固定ねじ２９０は、第２アタッチメント２５０の本体２９１の側面に設けられているねじ孔に螺合し、先端部が挿入孔２７０に突出する。
【００４７】
固定ねじ２９０は、第１アタッチメント２１０が第２アタッチメント２５０に装着され、位置決めピン２６２，２６４により位置決めされた状態で挿入され、第１アタッチメント２１０を第２アタッチメント２５０に完全に固定する。第１アタッチメント２１０と第２アタッチメント２５０とは、上記した様に位置決めされることである程度までは固定されるが、固定ねじ２９０が取り付けられることで完全に固定される。
【００４８】
ここで、図６に、第１アタッチメント２１０が第２アタッチメント２５０に装着される様子を例示する。
【００４９】
図６（ａ）は、第１アタッチメント２１０が第２アタッチメント２５０に対して傾いた状態で挿入される様子を例示している。この様に傾いた状態で挿入される場合であっても、第１アタッチメント２１０の突起部２２０は、側面が第２アタッチメント２５０の挿入孔２７０の壁面に沿って徐々に所定の位置に収まる様に挿入される。また、第１アタッチメント２１０のフランジ部２１１が挿入孔２７０の周縁部に接触することで、第１アタッチメント２１０は第２アタッチメント２５０に対して所定の角度で装着される。
【００５０】
さらに、第１アタッチメント２１０は、向きが調整されてフランジ部２１１の位置決め孔２１２，２１３と位置決めピン２６２，２６４とが嵌合することで、図６（ｂ）に示す様に、第２アタッチメント２５０に対して位置決めされる。この状態で、図６には不図示の固定ピン２９０が挿入されることで、第１アタッチメント２１０は第２アタッチメント２５０に固定される。
【００５１】
なお、第１アタッチメント２１０と第２アタッチメント２５０との位置決めは、カメラ１０及びアーム１１０の向きを一定に保った状態で、三脚１２０の第２アタッチメント２５０が設けられている雲台部分の向きを調整することで行ってもよい。例えば、カメラ１０で撮影を行いながら三脚１２０に固定する場合には、三脚１２０側の第２アタッチメント２５０の向きを調整することで、撮影画像を一定に保ちながらカメラ１０を三脚１２０に固定できる。
【００５２】
この様に、撮影者は、第１アタッチメント２１０の突起部２２０を第２アタッチメント２５０の挿入孔２７０に挿入し、向きを調整して固定ピン２９０を挿入することで、第１アタッチメント２１０を第２アタッチメント２５０に容易に装着することができる。また、固定ピン２９０を外して第１アタッチメント２１０を持ち上げることで、容易に第１アタッチメント２１０を第２アタッチメント２５０から取り外すことができる。
【００５３】
以上で説明した様に、実施形態に係る着脱アタッチメント２００によれば、第１アタッチメント２１０と第２アタッチメント２５０とを容易な操作で着脱することができる。第１アタッチメント２１０は、第２アタッチメント２５０に対して傾いた状態で挿入されても、突起部２２０が挿入孔２７０の壁面に沿って所定の位置に収まる様に装着される。着脱操作が容易になったことで、撮影者は着脱アタッチメント２００を正視しなくても、カメラ１０及び取付アーム１１０を三脚１２０に容易に着脱することができ、着脱時の衝撃を低減することが可能になる。
【００５４】
したがって、着脱アタッチメント２００を有するカメラ支持ユニット１００により、着脱しながら撮影を行った場合であっても、着脱時の衝撃が低減されて映像の乱れが抑制される。したがって、撮影者は、カメラ１０及び取付アーム１１０を三脚１２０に固定した状態での撮影（図１（ａ））、カメラ１０及び取付アーム１１０を三脚１２０から外した状態での撮影（図１（ｂ））等を、１台のカメラ１０で連続して行うことが可能になる。
【００５５】
以上、実施形態に係るカメラ着脱アタッチメント及びカメラ支持ユニットについて説明したが、本発明は上記実施形態に限定されるものではなく、本発明の範囲内で種々の変形及び改良が可能である。
【符号の説明】
【００５６】
１０  カメラ
１００  カメラ支持ユニット
１１０  取付アーム
１２０  三脚（固定脚）
２００  着脱アタッチメント（カメラ着脱アタッチメント）
２１０  第１アタッチメント
２１１  フランジ部
２１２，２１３  位置決め孔
２２０  突起部
２２１  円錐台状部
２２２  円錐状部
２３０  固定ねじ孔
２５０  第２アタッチメント
２６２，２６４  位置決めピン
２７０  挿入孔
２９０  固定ねじ
【図１】
2014219633.tif 000003
【図２】
2014219633.tif 000004
【図３】
2014219633.tif 000005
【図４】
2014219633.tif 000006
【図５】
2014219633.tif 000007
【図６】
2014219633.tif 000008